(57)【要約】  一連のクロック信号サイクルから成るクロック信号（ＣＬ）を受け取るクロック信号入力（ＲＣ）を有し、少なくとも１つの信号エッジ（０→１，１→０）がデジタルデータ信号内のデータビット毎に出現するような態様で符号化されている、該デジタルデータ信号（ＭＤ）を受け取るデータ信号入力（ＲＤ）を有するリセット回路（１）において、前記データ信号入力（ＲＤ）及びクロック信号入力（ＣＬ）に接続されており、規定数のデータ信号エッジの間に出現するクロック信号サイクルの数（Ｘ）をカウントするように設計されているカウンタ（２）と、カウンタ（２）によってカウントされた前記クロック信号サイクルの数（Ｘ）を下方の限界（ＭＩＮ）及び／又は上方の限界（ＭＡＸ）と比較するように設計されている比較手段（３）であって、前記数（Ｘ）が、比較に用いられた前記限界の値に依存して、前記下方の限界（ＭＩＮ）よりも下である又は前記上方の限界（ＭＡＸ）を超えているかのいずれかのままである場合、リセット信号（ＲＳ）を発するように設計されている比較手段（３）とが設けられている。
2007525903.tif 000002
【特許請求の範囲】
【請求項１】
一連のクロック信号サイクルから成るクロック信号を受け取るクロック信号入力を有し、少なくとも１つの信号エッジ（０→１、１→０）がデジタルデータ信号内のデータビット毎に出現するような態様で符号化されている該デジタルデータ信号を受け取るデータ信号入力を有し、前記データ信号入力及び前記クロック信号入力に接続されているカウント段であって、規定数のデータ信号エッジの間に出現するクロック信号サイクルの数を、カウントするように設計されているカウント段を有し、前記カウント段によってカウントされた前記クロック信号サイクルの数を、下方の限界及び／又は上方の限界と比較するように設計されている比較手段であって、前記数が、比較に用いられた前記限界の値に依存して、前記下方の限界よりも下であるか又は前記上方の限界を超えているかのいずれかのままである場合、リセット信号を発するように設計されている比較手段を有する、リセット回路。
【請求項２】
デジタルデータ信号を受け取り、出力データを生成し、リセット信号を受け取るように設計されている論理回路を有するデータ担体であって、前記リセット信号は、前記論理回路を規定された論理状態に設定するために供給されるデータ担体において、前記データ担体は、請求項１に記載のリセット回路を有し、前記リセット回路の前記リセット信号が前記論理回路に供給されるように提供される、データ担体。
【請求項３】
外部データ入力ライン、データ出力ライン、クロック信号ライン、及び好ましくは電源ラインを前記リセット回路及び前記論理回路それぞれに接続するためのパッドを有する、請求項２に記載のデータ担体。
【請求項４】
信号の非接触伝送のための結合要素を有し、受け取られた信号を処理するエアインターフェースを有する請求項２に記載のデータ担体であって、前記エアインターフェースは、前記受けとられた信号からデータ信号及びクロック信号を抽出し、抽出された前記データ信号を前記リセット回路及び前記論理回路それぞれに転送するように設けられている、請求項２に記載のデータ担体。
【請求項５】
前記エアインターフェースは、電気エネルギを抽出し、前記リセット回路及び前記論理回路にエネルギを供給するように設計されており、抽出された前記電気エネルギは、好ましくは、中間的に、エネルギ貯蔵手段にバッファされる、請求項４に記載のデータ担体。
【請求項６】
移動電話アプリケーションのための利用者識別モジュールを有する、請求項２に記載のデータ担体。
【請求項７】
請求項２ないし６の何れか一項に記載のデータ担体を有する、通信装置。
【請求項８】
請求項３ないし６の何れか一項に記載のデータ担体と通信するように設計されている通信装置であって、信号の非接触伝送のための結合要素と、受け取られた信号の処理のためのエアインターフェースとを有し、前記エアインターフェースは、デジタルデータ受信信号及びクロック信号を、前記受け取られた信号から抽出し、前記デジタルデータ受信信号を前記データ担体に転送するのに利用可能にするように設けられている、通信装置。
【請求項９】
前記エアインターフェースは擬似データ生成器を有し、該擬似データ生成器は、有効なデータ受信信号が抽出されることのできる信号が前記結合手段によって受け取られることができない場合、少なくとも１つの信号エッジが擬似データ信号内のデータビット毎に出現するような仕方で符号化されている該前記擬似データ信号を、前記データ担体への転送に利用可能にするように設計されている、請求項８に記載の通信装置。
【請求項１０】
前記エアインターフェースは、擬似クロック信号発生器を有し、前記擬似クロック発生器は、有効なクロック信号が抽出されることのできる電磁信号が前記結合要素によって受信されることができない場合、一連のクロック信号サイクルから成る前記擬似データ信号を、前記データ担体への転送に利用可能にするように設計されている、請求項８に記載の通信装置。
【請求項１１】
前記通信装置は、移動電話、個人用携帯型情報端末又はパーソナルコンピュータとして設計されている、請求項７ないし１０の何れか一項に記載の通信装置。
【請求項１２】
データ担体及び該データ担体の論理回路を、それぞれ、規定された論理状態にリセットするリセット方法であって、一連のクロック信号サイクルから成るクロック信号の受信と、少なくとも１つの信号エッジがデジタルデータ信号内のデータビット毎に出現するような態様で符号化されている該デジタルデータ信号の受信を有し、規定数のデータ信号エッジの間に出現している前記クロック信号サイクルの数をカウントするステップを有し、カウントされたクロック信号サイクルの前記数の、下方の限界及び／又は上方の限界との比較を有し、前記比較に用いられた前記限界の値に依存して、前記数が前記下方の限界よりも低いか又は前記上方の限界を超えているかのいずれかのままである場合において、前記論理回路に対してリセット信号を発するステップを有するリセット方法。
【発明の詳細な説明】
【技術分野】
【０００１】
本発明は、一連のクロック信号サイクルから成るクロック信号を受信するクロック信号入力を有し、デジタルデータ信号を受け取るデータ信号入力であって、該デジタルデータ信号は少なくとも１つの信号エッジが該デジタルデータ信号におけるデータビット毎に出現するような態様で符号化されているデータ信号入力を有する、リセット回路に関する。
【０００２】
本発明は、更に、デジタルデータ信号を受け取り、出力データを処理し、リセット信号を受け取るように設計されている論理回路を有するデータ担体であって、前記リセット信号（ＲＳ）は前記論理回路を規定された論理状態に設定するように供給されるデータ担体に関する。
【０００３】
本発明は、更に、データ担体を有する通信装置に関する。本発明は、更に、データ担体と通信するように設計されている通信装置にも関する。
【０００４】
本発明は、データ担体及び論理回路を、それぞれ、規定された論理状態にリセットするリセット方法にも関する。
【背景技術】
【０００５】
支払取引を実行する装置が、国際特許出願公開第2003/044710 A1号パンフレットから知られており、該装置は、移動装置として設計されており、移動電話の規格に従って通信する電気通信手段を有している。前記電気通信手段は、加入者識別モジュール（ＳＩＭ）カードとして知られているものを有し、該識別モジュールは、当該装置のユーザのアカウント情報を該ユーザのスマートカードから受け取ることができ、この結果、支払取引を実行するための金額が前記スマートカードから予約されることができ、前記移動装置は、端末によって前記支払取引を処理するように該端末と通信するための前記電気通信手段を使用することができる。前記スマートカードは、既知の方法によってリーダ局とワイヤレスに通信することができる。
【発明の開示】
【発明が解決しようとする課題】
【０００６】
しかしながら、既知の移動装置は、前記スマートカードと前記リーダ局との間のワイヤレス通信における中断の場合における特定の状況の下で、前記スマートカードの動作が、適切に終了されておらず「ハング」とも呼ばれる状態のままでおり、この状態において前記スマートカードに対する不正操作を実行し得るという不利な点を被る。リーダ局のパッシブデータ担体であって、電磁信号（例えば搬送信号）によって電気エネルギを供給されているパッシブデータ担体との通信の中断は、前記データ担体内に設けられているエネルギ貯蔵装置（コンデンサ）は、すぐ（ミリ秒から秒の範囲内で）空になるので、前記データ担体が完全にオフに切り替わるまでの不正操作の期間は非常に短く、概ね、いかなる結果も伴わずに概ね留まっているのに対し、バッテリの形態で自身のエネルギ供給部を有しているか、又は「バーチャル・スマート・カード」として通信装置内に組み込まれており該通信装置からエネルギを供給されているかのいずれかであるデータ担体における操作のリスクは、前記データ担体のバッテリが消耗するか又は前記通信装置がオフに切り替わるかまで、残存している。
【０００７】
本発明の目的は、上述の欠点が防止される、冒頭段落に記載された種類のリセット回路、第二段落に記載された種類のデータ担体、第三及び第四段落に記載された種類の通信装置、並びに第五段落に記載された種類のリセット方法を提供することにある。
【課題を解決するための手段】
【０００８】
上述の目的を達成するために、本発明によるフィーチャは、本発明によってリセット回路上で提供され、この結果、本発明によるリセット回路は、以下のように特徴付けられることができる。
【０００９】
一連のクロック信号サイクルから成るクロック信号を受け取るクロック信号入力を有し、デジタルデータ信号を受け取るデータ信号入力であって、該デジタルデータ信号は少なくとも１つの信号エッジが該デジタルデータ信号におけるデータビット毎に出現するような態様で符号化されているデータ信号入力を有し、前記データ信号入力及び前記クロック信号入力に接続されており、クロック信号サイクルの数をカウントするように設計されているカウント段であって、前記クロック信号サイクルは規定数のデータ信号エッジの間に出現する、カウント段を有し、前記カウント段によってカウントされた前記クロック信号サイクルの数を下方の限界及び／又は上方の限界と比較するように設計されている比較手段であって、比較に用いられた前記限界の値に依存して、前記数が前記下方の限界よりも低いか又は前記上方の限界を超えているかのいずれかである場合、リセット信号を発するように設計されている比較手段を有するリセット回路。
【００１０】
上述の目的を達成するための、例えば、データ担体内に設けられる本発明によるリセット回路。
【００１１】
上述の目的を達成するための、例えば、本発明によるデータ担体と通信する本発明による通信装置及び手段を備えている本発明によるデータ担体。
【００１２】
上述の目的を達成するために、本発明によるフィーチャは本発明によるリセット方法を備えており、この結果、本発明によるリセット方法が以下のように特徴付けられることができる。
【００１３】
データ担体及び該データ担体の論理回路を、それぞれ、規定された論理状態にリセットするリセット方法であって、一連のクロック信号サイクルから成るクロック信号の受信を有し、少なくとも１つの信号エッジがデジタルデータ信号内のデータビット毎に出現するような態様で符号化されている該デジタルデータ信号の受信を有し、規定数の前記データ信号エッジの間に出現する前記クロック信号サイクルの数をカウントするステップを有し、カウントされたクロック信号サイクルの前記数の下方の限界及び／又は上方の限界との比較を有し、前記数が、前記下方の限界よりも低いか又は前記上方の限界を越えているかのいずれかのままである場合、比較に用いられた前記限界の値に依存して、前記論理回路に対するリセット信号を発するステップを有するリセット方法。
【００１４】
本発明のフィーチャは、ワイヤレス通信が、通信装置（リーダ局）とデータ担体との間で中断される場合にリセット信号をトリガし、次いで、前記データ担体又は該データ担体の論理回路を、前記データ担体に対する第三者による操作が排除される規定された論理状態に設定する。ここで、本発明による前記リセット回路は、単なるデジタル回路と考えられており、該デジタル回路は、所要空間及び所要エネルギが小さいので、非接触に読み出し可能なデータ担体に内に良好に組み込まれることができる。特に、本発明によるリセット回路は、自身のクロック発生器を有する必要がない。前記クロック発生器とは、比較的高価であり大きい空間を占有する（例えば、水晶を使用して実現されるもの）、ＲＣ若しくはＬＣ振動回路において比較的不正確に働く、又は製造の間に時間のかかる調整を要求し、更には高い電力消費を有する。特別な利点は、本発明によるリセット回路は、データ信号が存在するにもかかわらずクロック信号が存在しない場合、及びクロック信号が存在するにもかかわらずデータ信号が存在しない場合、自身の機能を実行することにおいて証明されている。
【００１５】
請求項３に記載の手段によれば、得られる利点は、データ担体が有線のリンクによって通信手段と一緒に働くことができ、自身の結合要素及び自身のエアインターフェースを有する必要がなく、非接触のデータ転送は、データ担体に対する結合要素及びエアインターフェースを提供する前記通信装置を介して行われることができることにある。これにより、「バーチャルカード」を備えるシステムを構成することも可能となる。
【００１６】
請求項４に記載の手段によれば、得られる利点は、当該データ担体がスタンドアローンの装置として働くことができることにある。有線データ転送用のパッドを付加的に設けることは、ハイブリッドデータ担体を構成する選択肢に影響を与えない。
【００１７】
請求項５に記載の手段によれば、得られる利点は、当該データ担体が自身の所有の電池を必要としないことにある。コイル又はコンデンサの形態におけるオプション的エネルギ記憶手段は、電磁場の不具合の際に、前記リセット回路が、リセット信号を生成し、これによって、前記データ担体又は該データ担体の論理回路を規定された論理状態に確実に設定するのに十分長く働き続けることができるような態様で、設計されなければならない。
【００１８】
請求項６に記載の手段によれば、得られる利点は、前記データ担体は、「スマートカード」等のような移動電話アプリケーションと、ワイヤレスデータ担体に関するアプリケーションとに対して同時に使用されることができる。このことは、チケット注文システム、電子支払システム及び当局との安全な電子通信等のような、広範囲の可能なアプリケーションを提案する。
【００１９】
請求項８に記載の手段によれば、得られる利点は、前記通信手段が、バーチャルスマートカード・システムを構成する中継局を形成することにある。
【００２０】
請求項９及び１０に記載の手段によれば、本発明によるリセット回路は、リーダ局の電磁場の極端な場合（即ち、搬送信号が完全にオフにされ、従って、クロック信号もデータ信号も存在しないことを意味する）においてさえ、機能的なままでいることにある。これらの信号の少なくとも１つは、本発明による手段によってシミュレーションされる。
【００２１】
請求項１１に記載の手段によれば、得られる利点は、バーチャルスマートカード・システムが、標準的な装置によって実現されることができることにある。
【発明を実施するための最良の形態】
【００２２】
本発明のこれら及び他の見地は、限定的ではない例として、以下に記載される実施例を参照することにより、明らかになり、説明されるであろう。
【００２３】
本発明は、以下で、非限定的ではない図面によって、前記実施例を参照して説明されるであろう。
【００２４】
図１は、リセット回路１をブロック回路図の形態で示している。リセット回路１は、クロックパルス入力ＲＣを有しており、該クロックパルス入力ＲＣによって、一連のクロック信号サイクルから成るクロック信号ＣＬを受け取る。更に、リセット回路１は、データ信号入力ＲＤを有し、該データ信号入力ＲＣによってデジタルデータ信号ＭＤを受け取る。デジタルデータ信号ＭＤは、データビット毎に少なくとも１つの信号エッジ（０→１、１→０）を呈するような仕方で符号化されている。示されている実施例において、データ信号ＭＤは、マンチェスター符号化を有しており、各バイナリ１は、半ビット期間における負のエッジ（１→０）によって表されており、各バイナリ０は、半ビット期間における正のエッジ（０→１）によって表されている。更に、リセット回路１は、カウント段（略して、カウンタ２と称される）を有している。カウンタ２は、データ入力ＲＤとクロック入力ＲＣとに接続されている。カウンタ２は、規定数のデータ信号エッジの間に出現するクロックパルスサイクルの数Ｘをカウントするように設計されている。最も単純な場合、カウント期間は、場合によっては、２つの隣接するデータ信号エッジ０→１又は１→０の間であり得る。しかしながら、データ信号ＭＤの符号化に依存して、前記カウント期間は、２以上の正のデータ信号エッジの間、又は２つ以上の負のデータ信号エッジの間であることもできる。カウンタ２は、ゲート回路として実現されることができ、前記データ信号エッジは、扉の開閉のための制御信号を表しており、前記クロックパルスは、前記ゲートが開いている場合、デジタルカウンタまで通過される。比較器のような信号整形手段が、前記カウンタの前に設けられることもできる。カウンタ２は、該カウンタ２のカウント値が各カウント期間の始まりにおいてゼロにリセットされるような態様で設計されているとも述べなければならない。
【００２５】
前記カウンタによってカウントされる前記クロック信号サイクルの数Ｘは比較手段３に供給され、該比較手段３は、クロック信号サイクルの数Ｘを所与の下方の限界ＭＩＮと比較する。下方の限界ＭＩＮは、許容誤差内での前記クロック信号の周波数の変化が、特定のカウント期間内で前記下方の限界よりも下にあることを生じないような仕方で規定される。しかしながら、前記クロック信号が完全に不良である場合、予め規定されている前記下方の限界は、現在のカウント期間の後のカウント期間の一番最後において認識され、この結果、リセット信号ＲＳが比較手段３によって生成される。リセット信号ＲＳは、規定されている論理レベル、レベル遷移、所定のレベル又は信号パターンを有することができる。
【００２６】
他の場合も、実際に起こり得る。これらの場合の１つにおいては、前記クロック信号ではなく、前記データ信号が不良である。このような場合においさえてもリセット回路１がリセット信号ＲＳを発生するように、本発明の実施例において、カウンタ２によってカウントされるクロック信号の数Ｘを上方の限界ＭＡＸと比較し、上方の限界ＭＡＸを超えている場合には、リセット信号ＲＳを供給する比較手段が設けられる。
【００２７】
従って、上方の限界ＭＡＸは、第１の値の範囲を自身の最下部で制限し、下方の限界ＭＩＮは、第２の値の範囲を自身の最上部において制限しており、クロック信号サイクルの数Ｘが、下方の限界ＭＩＮと上方の限界ＭＡＸとの間にある第３の許可された値の範囲（即ち、前記第１の値の範囲又は前記第２の値の範囲内にある値を表す）を離れるとすぐ、リセット信号ＲＳが生成される。
【００２８】
この点において、両方の限界ＭＩＮ又はＭＡＸが前記比較に含まれる必要があるわけではなく、単に上方の限界ＭＡＸ又は下方の限界ＭＩＮが、クロック信号サイクルのカウントされた前記数との比較に使用される実現化も想像され得ることも述べなければならない。
【００２９】
しかしながら、前記データ信号及び前記クロック信号が不良である場合、リセット回路１は「フリーズ」する。通信装置との接続に関連した適切な手段が、以下で詳細に記載される。
【００３０】
本発明によるリセット回路１は、好ましくは、図２のブロック回路図によって示されている非接触通信のために設計されているデータ担体４に含まれるものとして適切である。図２に示されているデータ担体４は、リセット回路１に加えて、論理回路５を有しており、該論理回路５は、デジタルデータ信号ＭＤを受け取り、出力データＡＤを供給し、リセット回路１によって生成されたリセット信号ＲＳの１つを受け取るように設計されている。論理回路５は、直ちに、リセット信号ＲＳによって、規定された論理状態に設定され、該規定された論理状態とは、一般に、「停止」状態であり、即ち、前記クロック信号若しくは前記データ信号又は両方の信号の不良によって異常な態様で終了された又は遮断された規則的な通信の記録の前の状態である。この信頼性は、前記クロック信号又はデータ入力信号ＭＤが不良である際、論理回路５が、データの読み出し、又はデータ担体４の操作若しくは図２に示されていないカードリーダによって該データ担体４に記憶されているデータの操作を可能にする論理状態を継続するのを防止する。データ担体４は、パッド６を有し、該パッド６から、外部データ入力ラインとデータ出力ラインとクロック信号ラインとを接続する３つの接続が示されており、該３つの接続によって、データ信号ＭＤ及びクロック信号ＣＬがリセット回路１に供給されると共に有線接続によって論理回路５に供給され、論理回路５によって生成されるデータ出力信号ＤＡが送信されることができる。電源ラインが、付加的な接続領域によってパッド６を介して当該データ担体に接続されることもできるが、前記付加的な領域は、この場合においては明示されていない。
【００３１】
本実施例において、データ担体４は、ハイブリット法によって造られる。このことは、該データ担体４が、電磁信号のワイヤレス伝送に関するリソース、即ち電磁信号のワイヤレス送信／受信用のアンテナとして配されている結合要素７と、受信された電磁信号を処理し、伝送されるべきデータ出力信号ＤＡを処理するように設計されている所謂エアインターフェース８とを有することを意味する。この点において、結合要素７は、コンデンサ板又は伝送コイルの助けによっても実現されることができることも述べなければならない。
【００３２】
詳細には、エアインターフェース８は、受け取られた電磁信号からデータ信号ＭＤ（通常、搬送信号の振幅又は位相変調によって表されている）とクロック信号ＣＬとを抽出し、データ信号ＭＤ及びクロック信号ＣＬをリセット回路１又は論理回路５に転送するように設計されている。クロック信号ＣＬは、大抵、電磁高周波数場（即ち搬送信号）の搬送周波数に対応している。データ信号ＭＤは、規格としてマンチェスター符号化における高周波数場において符号化されるので、本発明によるリセット回路の機能に必要な条件、即ち、少なくとも１つの信号エッジがデータビットごとにデータ信号内に出現することを満たしている。更に、エアインターフェース８は、前記電磁高周波数場を変調し（例えば、負荷変調）て、データ信号ＤＡを前記リーダ局に送信するように設計されている。
【００３３】
データ担体４は、例えば、規格ＩＳＯ／ＩＥＣ１４４４３に従うパッシブデータ担体として設計されることができ、即ち自身のエネルギ供給を有さないが、受信される電磁信号のエネルギを供給される。この目的のため、エアインターフェース８は、電気エネルギを前記搬送信号から抽出し、リセット回路１及び論理回路５にエネルギを供給するように設計されており、抽出された前記電気エネルギは、一時的に、エネルギ貯蔵手段９に貯蔵される。コンデンサとして実現されているエネルギ貯蔵手段Ｐは、コイルとして実現されることもできる。
【００３４】
前記論理回路は、安全アプリケーションモジュール（ＳＡＭ）として設計されることができ、このモジュールは、処理されるべきデータのカプセル化及び暗号化によって、ソフトウェアアプリケーション上の比較的安全な動作を保証することも述べなければならない。
【００３５】
移動電話として設計されている、データ担体４´を含んでいる通信手段１０が、ブロック回路図によって図３に示されている。データ担体４´は、図２に示されている上述のデータ担体４にとても類似している。データ担体４´は、本発明によるリセット回路１と、論理回路５とを有する。これらのモジュールの機能に関しては、上述の記載を参照されたい。
【００３６】
更に、データ担体４´は移動電話アプリケーションのための加入者識別モジュール（ＳＩＭ）を有するので、従って、同時に、非接触読み出しデータ担体として、かつ、移動電話のＳＩＭカード（例えば、商用取引）として同時に使用されることができ、新しい種類のアプリケーションのオプション（例えば、商用取引）を提案し、データ担体４´が一方の装置から他方の装置まで移動されることができ、従ってより柔軟な使用を有するという本場合において、特に有利である。
【００３７】
しかしながら、データ担体４´は、結合要素とエアインターフェースとを含んでいないので、非接触に読み出し可能なデータ担体ではないが、この機能を、リーダ局とのワイヤレス通信（非接触通信とも称される）を実現するのに必須の要素を有している通信装置１０との相互作用のみによって獲得する。通信装置１０は、データ担体４´と共に「バーチャルスマートカード」とも称される「バーチャル非接触データ担体」を形成し、通信装置１０は、非接触に読み出し可能なデータ担体であるかのようにリーダ局（図示略）と通信するデータ担体中継装置を形成し、実際の安全関連アプリケーションデータは、データ担体４´上にあり、前記データ担体中継装置によって前記リーダ局に転送される。
【００３８】
上述したように、通信装置１０は、移動電話として設計されている。前記移動電話の中央制御要素は、ベースバンドコントローラＢＢＣである。ベースバンドコントローラＢＢＣの動作及び機能のモードは、移動電気通信の分野の当業者に技術的によく知られているものであるので、特別な説明は必要ない。しかしながら、ベースバンドコントローラＢＢＣは、データバスＢＵＳ２を越えてデータ担体４´上で実施されている加入者識別モジュール（ＳＩＭ）と通信し、該データバスＢＵＳ２は、ＩＳＯ７８１６規格に適合するようにスマートカード用に設計されており、ユーザデータ等を読み出す及び記憶することも述べなければならない。データ担体４´上の論理回路５をアドレス指定する及び非接触データ担体用のリーダ局と通信するために、通信装置１０は、以下で詳細に説明される通信の手段を付加的に有している。通信のこれらの手段は、通信装置１０と前記リーダ局との間の非接触情報伝送のための結合要素７´と、受信された電磁信号及び送信されるべきデータを処理するエアインターフェース８とを有している。エアインターフェース８´は、受信された電磁信号から、デジタルデータ受信信号ＭＤとクロック信号ＣＬ（パルス）とを抽出し、これらをデータ担体４´に転送する。逆に、データ担体４´によって受け取られる出力データＡＤは、エアインターフェース８´及び結合要素７´を使用して、リーダ局に伝送される。シリアルデータ逆スイッチ１３（シリアルデータスイッチ）は、データ受信信号ＭＤを、オプションとして、データ担体４´に又はトランスコーダ１４とＣＰＵとデータバスＢＵＳ１とを介して移動電話のベースバンドコントローラＢＢＣに転送する働きをする。同様に、データスイッチ１３は、データ担体４´から到来する出力データＡＤ、又はベースバンドコントローラＢＢＣによって生成され、データバスＢＳＵ１とＣＰＵとトランスコーダ１４とを越えて処理された出力データを、エアインターフェース８´及び結合ネットワーク７´を介してリーダ局にオプションとして送信する役割をする。従って、データ担体４´及び通信装置１０は、シリアルデータスイッチ１３によってリーダ局と通信することができる。データバスＢＵＳ１は、選択されたバージョンに従って（例えば、規格ＵＳＢ、ＲＳ２３２、Ｉ２Ｃ又はＳＰＩのうちの１つに従って）働くことを述べなければならない。通信装置１０は、移動電話としてだけではなく、個人用携帯型情報端末（ＰＤＡ）又はパーソナルコンピュータとしても有利に構成されることができ、インターフェースを、順に、データネットワーク又は電気通信ネットワークに接続させることができる。
【００３９】
前記通信装置がリーダ局の近接場から移動された場合、前記リーダ局によって生成され、結合要素７´において受け取られる電磁場の電磁場強度は、データ及び／又はクロック信号（クロックパルス）が前記フィールドからもはや抽出されることができなくなる臨界よりも下になるまで、減少する。従って、リーダ局とデータ担体４´との間の通信は、正確に予知することができない時点で消失する。データ担体４´の論理回路５は、大抵、状態マシンと呼ばれるものとして、又はソフトウェアが実行されるマイクロプロセッサによって実現される。通信の通常の終了を伴わない通信の直接的な損失によって、データ担体４´が操作され得る可能性を生じる動作状態が、両方の実施例において起こり得る。このことは、前記リーダ局によって生成された電磁場によって電気エネルギが供給されるパッシブデータ担体においては、該データ担体の電圧供給は電磁場が消滅していくと共に低下し、従って、データが、これ以上伝送されることができない、又は予め存在していた動作状態が消失するので、深刻な問題を呈さないのに対し、バーチャルスマートカードの場合、図３の例に示されているように、データ担体４´が通信装置１０によって電気エネルギを供給され、データ担体４´は、記載された好ましくない動作状態でハングしたままになり得る。このような不利な動作状態を回避するために、本発明によるデータ担体４´は、リセット回路１を備えている。しかしながら、リセット回路１の機能は、前記データ信号又は前記クロック信号のいずれかは、他方の信号が存在しない間、少なくとも暫定的に継続していることを必要とする。このことは、実際に保証されることができないので、エアインターフェース８´の更なる実施例がこの問題を解決するために提案され、この実施例においては、が実施例において設けられており、該擬似データ生成器１１は、有効なデータ信号が抽出されることができる電磁信号が結合手段７を介して受信されることができない場合に、伝達に利用可能な擬似データ信号を、データ担体４にレンダリングする目的で設計されており、該擬似データ信号は、各データビットに対して、少なくとも１つの信号エッジが該擬似データ信号内に現れるように符号化されている。データ担体４´の論理回路５は、この場合において、前記擬似データを実際のデータと区別することができるように設計されなければならない。このことは、このような値を、取り決め若しくは規格に従えば実際のデータ信号において生じないデータの組み合わせ又は前記擬似データに割り当てることによれは、実現し易い。代替的な実施例において、エアインターフェース８´は、擬似クロック信号発生器１２を有し、該擬似クロック信号発生器１２は、有効なクロックパルスが抽出されることができる電磁信号が結合手段７´を介して受け取られることができない場合、前記データ担体への転送のために、一連のクロック信号サイクルから成る擬似クロック信号を利用可能にする目的で設計されている。擬似データ生成器１１又は擬似クロック信号発生器１２は、リーダ局への通信が再開されることができるとすぐに、オフに切り替えられることを理解されたい。
【図面の簡単な説明】
【００４０】
【図１】本発明によるリセット回路を、ブロック回路図の形態で示している。
【図２】本発明によるデータ担体を、ブロック回路図の形態で示している。
【図３】本発明によるデータ担体を備える通信装置をブロック回路図の形態で示している。
【図１】
2007525903.tif 000003
【図２】
2007525903.tif 000004
【図３】
2007525903.tif 000005
【国際調査報告】
2007525903.tif 000006
2007525903.tif 000007